(57)【特許請求の範囲】
【請求項１】
展示物を置く台と、この台の上面を蔽うケース本体とを備え、このケース本体を、軸線を水平に向けた回動支点を中心として上下方向へ回動させて開閉できるようにした展示ケースにおいて、
前記ケース本体の回動支点を、閉じた状態のときのケース本体の重心より前記軸線と直交する水平方向の一端側に配置し、
前記ケース本体に、このケース本体と一体に回動し、かつ前記回動支点より下方に位置する条体繋ぎ部を連結し、
前記台に条体案内部を設け、
前記条体繋ぎ部に条体の上端部を連結し、
前記条体案内部を通って垂下された前記条体の下端部にバランスウエイトを連結し、
前記条体繋ぎ部に作用するバランスウエイトの重量による上記ケース本体に対する上記回動支点回りのモーメントが、前記ケース本体の所定の回動位置から閉位置側ではケース本体を開く方向に作用し、前記所定の回動位置から開位置側ではケース本体を閉じる方向に作用するよう、前記条体案内部を前記ケース本体が閉じた状態における前記条体繋ぎ部より前記水平方向の前記一端側とは反対の他端側に配置したことを特徴とする展示ケース。
【請求項２】
前記ケース本体を全開させた状態においては、前記ケース本体の重心が前記回動支点より前記水平方向の前記一端側に位置するように構成したことを特徴とする請求項１に記載の展示ケース。
【請求項３】
前記ケース本体にこのケース本体と一体になって回動するアームの上端部を連結し、このアームの下端部に前記条体繋ぎ部を設けたことを特徴とする請求項１または請求項２に記載の展示ケース。
【請求項４】
前記条体案内部を、前記水平方向の前記一端側と前記他端側とに並列させた一対の滑車で構成し、前記条体繋ぎ部が前記一端側の滑車より前記一端側に位置しているときには前記条体が前記一端側の滑車に掛かり、前記条体繋ぎ部が前記他端側の滑車より前記他端側に位置しているときには、前記条体が前記他端側の滑車に掛かるよう、前記一対の滑車間に前記条体を挿通したことを特徴とする請求項１〜３のいずれかに記載の展示ケース。
【発明の詳細な説明】
【０００１】
【発明の属する技術分野】
この発明は、美術品や文化財などを展示する展示ケースに関するものであり、特に、ケース本体が上下方向へ回動して開閉自在になった展示ケースに関するものである。
【０００２】
【従来の技術】
図６および図７は、従来のこの種の展示ケース１を示したものである。
該展示ケース１の台２は架台３と台盤４とからなっている。この台盤４の上面に美術品や文化財などの展示物を置いて展示することとなる。そして、該台盤４の上方にガラスからなるケース本体５をかぶせてある。ケース本体５の下端縁には框６が取り付けられており、該框６の一端内側面と台盤４の一端面とが蝶番７にて連結されている。これにより、ケース本体５は丁番７を回動支点にして上下方向に回動自在になっている。
【０００３】
また、架台３の内部には、ダンパー８のシリンダー８ａの基端部が上下方向へ回動自在に取り付けられており、ダンパー８のロッド８ｂの先端部が框６に連結されている。このダンパ８は、ケース本体５を開けた状態から閉める際、ケース本体５が勢いよく閉まってその衝撃により展示物の配置が乱れたり該展示物や展示ケース１が損傷を受けるのを防止するものである。
【０００４】
【発明が解決しようとする課題】
展示ケース１においては、ケース本体５が勢いよく閉じるのを防止できる反面、常にゆっくりとした速さでしか開閉することができない。
また、開放時にダンパー８が露出するので、美観を損なうという問題があり、そのような問題を回避するにはカバーを付けるなどの意匠上の工夫も必要となる。
【０００５】
【課題を解決するための手段】
前記課題を解決するため、請求項１記載の発明は、展示物を置く台と、この台の上面を蔽うケース本体とを備え、このケース本体を、軸線を水平方向に向けた回動支点を中心として上下方向へ回動させて開閉できるようにした展示ケースにおいて、前記ケース本体の回動支点を、閉じた状態のときのケース本体の重心よりケース本体の水平方向一端側に配置し、前記ケース本体に、このケース本体と一体に回動し、かつ前記回動支点より下方に位置する条体繋ぎ部を連結し、前記台に条体案内部を設け、前記条体繋ぎ部に条体の上端部を連結し、前記条体案内部を通って垂下された前記条体の下端部にバランスウエイトを連結し、前記条体繋ぎ部に作用するバランスウエイトの重量による上記ケース本体に対する上記回動支点回りのモーメントが、前記ケース本体の所定の回動位置から閉位置側ではケース本体を開く方向に作用し、前記所定の回動位置から開位置側ではケース本体を閉じる方向に作用するよう、前記条体案内部を前記ケース本体が閉じた状態における前記条体繋ぎ部より前記ケース本体の他端側に配置したことを特徴としている。
【０００６】
この場合、前記ケース本体を全開させた状態においては、前記ケース本体の重心が前記回動支点より前記台の一端側に位置するように構成するのが望ましい。
【０００７】
また、前記ケース本体にこのケース本体と一体になって回動するアームの上端部を連結し、このアームの下端部に前記条体繋ぎ部を設けるのが望ましい。
【０００８】
さらに、前記条体案内部を、前記台の一端側と他端側とに並列させた一対の滑車で構成し、前記条体繋ぎ部が前記ケース本体の一端側の滑車より一端側に位置しているときには前記条体が前記一端側の滑車に掛かり、前記条体繋ぎ部が前記ケース本体の他端側の滑車より他端側に位置しているときには、前記条体が前記他端側の滑車に掛かるよう、前記一対の滑車間に前記条体を挿通するのが望ましい。
【０００９】
【発明の実施の形態】
以下、本発明の実施の形態を図１〜図５に基づいて説明する。
図１および図２に示すように、展示ケース１１は、台１２とケース本体１５とを備えている。
台１２は、左右一対の架台１３と、四角形の平板状をなす台盤１４とからなり、左右の架台１３にて台盤１４が水平に支持されている。台盤１４の上面には美術品や文化財などの展示物が載置されて展示される。一方、ケース本体１５は、下面部が開口した四角形の箱状をなす障子ガラス１５ａと、その下端開口部に設けられた框１５ｂとから構成されている。そして、ケース本体１５を閉じると、前記台盤１４の側面のちょうど外側に框１５ｂが嵌まり込み、障子ガラス１５ａが台盤１４の上面を蔽うようになっている。
【００１０】
図３に示すように、台盤１４の内部には、該台盤１４の左右内側面と左右の架台１３の真上位置とに、それぞれ軸受け１８が設けられており、該軸受け１８によって回動軸（回動支点）１７が左右水平方向へ向けられて回動自在に支持されている。この回動軸１７は、台盤１４の左右側面から該台盤１４の外方へ突き出されている。そして、この回動軸１７の突出部分に前記框１５ｂが連結固定されている。こうして、ケース本体１５は回動軸１７を回動支点にして上下方向へ開閉できるように構成されている。
【００１１】
図１に示すように、回動軸１７は、閉じた状態におけるケース本体１５の重心Ｇとケース本体１５の後端（図１において右端）との間に配置されている。これは、ケース本体１５が自重によって閉じることができるようにするとともに、ケース本体１５を小さい力で開閉することができるようにするためである。ただし、回動軸１７は後述する作用を確保し得る限りなるべくケース本体１５の後端に寄っているほうが望ましい。そのようにすれば、ケース本体１５を大きく開けることができ、台盤１４上に展示物を容易に載置することができるからである。
【００１２】
なお、図３に示すように、框１５ｂの内側面には、その上下端縁に沿って全周に亘りエアータイトゴム１９が張り巡らされており、ケース本体１５を閉じると、このエアータイトゴム１９が台盤１４の側端面に密着することにより、展示ケース１１内の気密を図っている。
【００１３】
前記回動軸１７の内側端部（図３において、右側端部）近傍には、アーム２０の上端部が固定されており、ケース本体１５を開閉操作すると、それと一体的に該アーム２０も回動する。このアーム２０の下端部は、図１および図２に示すように、ケース本体１５が閉じているとき、鉛直に垂下された状態になっており、その下端部は架台１３の内部に挿入されている。図４にも示すように、アーム２０の下端部一側面には滑車（条体繋ぎ部）２１が回動自在に取り付けられている。
【００１４】
また、図３に示すように、台１２の内部であって架台１３と台盤１４との境界部分には、縦板２２の上端部分が固定されている。この縦板２２は架台１３の内部に鉛直に垂下されており、図４に示すように、縦板２２の下端部一側面には、一対の滑車（条体案内部）２３ａ，２３ｂが回動自在に取り付けられている。この一対の滑車２３ａ，２３ｂは、前後方向（図１において、左右方向）にわずかな間隔をおいて水平方向に並列されている。
【００１５】
前記滑車２１の外周部には、ロープ（条体）２４の上端が繋ぎ止められている。このロープ２４は、前記一対の滑車２３ａ，２３ｂの間に上方から挿通されている。一対の滑車２３ａ，２３ｂ間を通り抜けた下端部は、鉛直下方に垂下されており、そこにはバランスウエイト２５が吊り下げられている。
【００１６】
ここで、一対の滑車２３ａ，２３ｂは、架台１３のほぼ中央付近に配置されており、ケース本体１５を閉じた状態においては、前記滑車２１より斜め前方下側に位置している。したがって、ケース本体１５を閉じた状態においては、ロープ２４が滑車２１から斜め下前方へ向けて繰り出され、滑車２３ａに掛け回されて垂下される。よって、バランスウエイト２５によるロープ２４の張力がアーム２０を前方へ引っ張る。それにより、ケース本体１５には回動軸１７を中心として時計回り方向、つまりケース本体１５を開く方向のモーメントが作用する。このモーメントは、ケース本体１５が開回動するのにしたがって漸次小さくなる。そして、図５に示すように、ケース本体１５が所定の角度θ1だけ回動して、滑車２１と滑車２３ａとの間のロープ２４がアーム２０に対して一直線上に並ぶと、モーメントは零になる。その後、ケース本体１５が角度θ1を越えてさらに開回動すると、ロープ２４に作用する張力がアーム２０を後方へ引っ張る結果、ケース本体１５には反時計回り方向、つまりケース本体１５を閉じる方向のモーメントが作用する。このモーメントは、ケース本体１５が開回動して全開位置に達するまで漸次増大する。
【００１７】
また、ケース本体１５が角度θ1を越えて開回動し、滑車２１が滑車２３ａの真上を通過したとき、ロープ２４が滑車２３ａから外れて滑車２３ｂ側へ移動していく。そして、ケース本体１５が角度θ2だけ回動し、滑車２１が滑車２３ｂの真上に来たとき、ロープ２４は滑車２３ｂに掛け変わり、それ以降、ロープ２４は滑車２１から斜め下後方へ向けて繰り出され、滑車２３ｂに掛け回されることとなる。
【００１８】
次に、上記構成の展示ケース１１の作用について、図５に基づいて説明するに、いまケース本体１５が閉じているものとする。この状態においては、ケース本体１５にその自重による閉方向へのモーメントが作用するとともに、バランスウエイト２５による開方向のモーメントが作用しているが、前者が後者より若干大きいのでケース本体１５は閉状態を維持している。このように、ケース本体１５を閉じた状態においては、ケース本体１５にその自重によるモーメントからバランスウエイト２５によるモーメントを差し引いた分のモーメントしか作用しないので、ケース本体１５を小さい力で容易に開回動させることができる。しかも、自重によるモーメントはケース本体１５の回動速度に応じて変化することがないので、急速に回動させることも可能である。
【００１９】
ケース本体１５を閉じた状態から角度θ1まで開回動させると、開回動に伴ってバランスウエイト２５によるモーメントが小さくなるが、ケース本体１５の開回動に伴って重心Ｇが後方へ移動し、重心Ｇと回動軸１７との間の水平方向の距離が短くなり、自重によるモーメントも小さくなる。したがって、ケース本体１５を開回動させるのに必要な力が大きく増大することはない。
【００２０】
ケース本体１５を角度θ1を越えて回動させると、バランスウエイト２５によるモーメントがケース本体１５を閉じる方向に作用する。しかも、バランスウエイト２５によるモーメントはケース本体１５の開回動に伴って増大する。しかし、ケース本体１５が角度θ1を越えるときには、重心Ｇと回動軸１７との間の水平方向の距離が短くなっているので、ケース本体１５の自重による閉方向へのモーメントが小さい。しかも、自重によるモーメントはケース本体１５の回動に伴って漸次小さくなる。したがって、ケース本体１５を開回動させるのに大きな力は必要としない。なお、ケース本体１５の回動角度がθ2を越えると、ロープ２４が滑車２３ｂに掛け変わる。
【００２１】
ケース本体１５をさらに回動させ、重心Ｇが回動軸１７の真上を通過してケース本体１５の後端側に移動すると、ケース本体１５の自重によるモーメントがケース本体１５を開く方向に作用する。したがって、バランスウエイト２５によるモーメントから自重によるモーメントを差し引いた力だけでケース本体１５を開回動させることができる。
【００２２】
その後、ケース本体１５をさらに開回動させると、アーム２０がストッパ２６に突き当たり、ケース本体１５がそれ以上開回動することができなくなる。その回動位置が全開位置である。全開位置においては、自重によるモーメントがバランスウエイト２５によるモーメントより大きい。つまり、自重によるモーメントとバランスウエイト２５によるモーメントとは、ケース本体１５が全開位置に達する若干手前において等しくなり、その後は前者が後者より大きくなっている。したがって、ケース本体１５は全開位置に維持される。勿論、全開位置においてもバランスウエイト２５によるモーメントを自重によるモーメントより大きくなるように設計してもよい。その場合には、ケース本体１５を全開位置に維持するための係止機構を設けておけばよい。
なお、ケース本体１５が全開位置に達したときには、框１５ｂの後端辺１５ｂ’が架台１３に干渉しないようにしておくのが望ましい。
【００２３】
全開位置に回動しているケース本体１５を閉じる場合には、係止機構を解除するか、あるいはケース本体１５を閉位置側へ若干回動させる。すると、ケース本体１５がバランスウエイト２５によるモーメントによって閉回動させられる。そして、重心Ｇが回動軸１７の真上を通過すると、自重によるモーメントがケース本体１５を閉じる方向へ作用するようになる。したがって、ケース本体１５は、バランスウエイト２５と自重によるモーメントによって閉回動させられることになり、二つのモーメントによって急速に閉回動させられる。しかるに、ケース本体１５の回動角度がθ1より小さくなると、バランスウエイト２５によるモーメントが開方向に作用するようになり、制動力として作用する。したがって、それ以降はケース本体１５がゆっくりと閉じていくこととなる。こうして、ケース本体１５が台盤１４上にかぶさる際の衝撃が緩和され、台盤１４上に展示した展示物の配置が乱れたり該展示物や展示ケース１１の損傷を防止することができる。
【００２４】
また、上記構成の展示ケース１１においては、アーム２０、滑車２１，２３ａ，２３ｂ、ロープ２４およびバランスウエイト２５が台１２の内部に収納されており、ケース本体１５を開いたとき露出することがない。したがって、別途カバーなどを設けることなく、美観を向上させることができる。
【００２５】
なお、本発明は、前記の実施の形態に限定されるものでなく、適宜変更可能である。
例えば、前記の実施の形態においては、回動軸１７にアーム２０を取り付けてあるが、アーム２０をケース本体１５に取り付けてもよい。
また、条体案内部としての一対の滑車２３ａ，２３ｂに代えて、単にロープ２４を下方へ案内できるスリット、孔のようなものであってもよい。ただし、滑車２３ａ，２３ｂを用いた場合には、ロープ２４との間の摩擦が小さいので、バランスウエイト２５によるロープ２４の張力を有効に働かせることができ、しかもロープ２４の損傷を可及的に防止することができる。
【００２６】
【発明の効果】
以上説明したように、請求項１〜４に係る発明によれば、ケース本体が勢いよく閉まってその衝撃により展示物の配置が乱れたり該展示物や展示ケースが損傷を受けるのを防止することができるのは勿論のこと、ケース本体が所定角度になるまで容易にかつ早く回動させることができるという効果が得られる。
また、ケース本体を開いたとき、該ケース本体と台の上面との間から露出する構成要素がないので、別途カバーなどを設ける必要もない。
特に、請求項４に係る発明によれば、条体を滑車に案内させるので、条体の損傷を防止することができ、かつ、バランスウエイトにより条体に作用する張力を有効に働かせることができる。
【図面の簡単な説明】
【図１】本発明に係る展示ケースの一実施の形態を、ケース本体を閉じた状態で示す側面図である。
【図２】図１のＡ−Ａ線矢視図である。
【図３】図１の一部省略Ｂ−Ｂ線拡大断面図である。
【図４】図２のＣ−Ｃ線要部矢視図である。
【図５】図１に示した展示ケースを開放していく様子を示す側面図であり、実線および破線はケース本体が全開された状態を示す。
【図６】従来の展示ケースの一例を、ケース本体を閉じた状態で示す側面図である。
【図７】図６に示した展示ケースのケース本体を全開した状態で示す側面図である。
【符号の説明】
Ｇ      重心
１１    展示ケース
１２    台
１５    ケース本体
１７    回動軸（回動支点）
２０    アーム
２１    滑車（条体繋ぎ部）
２３ａ  滑車（条体案内部）
２３ｂ  滑車（条体案内部）
２４    ロープ（条体）
２５    バランスウエイト
【図１】
0003922777.tif 000002
【図２】
0003922777.tif 000003
【図３】
0003922777.tif 000004
【図４】
0003922777.tif 000005
【図５】
0003922777.tif 000006
【図６】
0003922777.tif 000007
【図７】
0003922777.tif 000008